(57)【要約】【課題】タクシー車両をタクシー業務以外の業務に使用する際の料金を、専用の別メータを用いずに計算及び表示する。【解決手段】タクシー車両１でタクシー業務を行う場合はタクシー業務の料金制で料金を計算表示し、介護タクシー業務を行う場合は介護タクシー業務の料金制で料金を計算表示する。また、営業所、操作部１２、又は、ハンディーターミナル３０からの業務指定情報信号中の発信元識別情報やパスワードの照合によって、業務指定情報が示す業務（タクシー業務又は介護タクシー業務）への切り替えを認証する。さらに、タクシー車両１の各種状態を示す累計指数を、タクシー車両１で行っている業務毎に分けてカウントする。また、タクシー車両１の運行中に、タクシーメータ１０で業務別にカウントしている累計指数をそのままの内容又は加工した内容で表示部１１に表示させたり、タクシー車両１の運行終了時にメモリカード５０に書き込む。【選択図】図１
2014021514.tif 000002
【特許請求の範囲】
【請求項１】
車両の走行距離に応じた距離制料金を含むタクシー業務の料金制により計算した料金を表示するタクシーメータにおいて、
前記タクシー業務とは異なる他の業務の前記距離制料金を含む料金制のデータを、前記タクシー業務の料金制のデータと区別して記憶する記憶手段と、
前記タクシー業務及び前記他の業務のうち１つの業務を前記車両で行う業務として認証する認証手段とを備えており、
前記認証手段により認証された業務の前記記憶手段にデータが記憶された料金制により計算した料金を表示する、
ことを特徴とするタクシーメータ。
【請求項２】
前記認証手段は、外部から入力された業務を指定する業務指定情報中の権限情報に基づいて、前記車両で行う業務の指定権限の有無を判定する権限判定手段をさらに備えており、該権限判定手段が指定権限有りと判定した前記権限情報を含む前記業務指定情報において指定された業務を、前記車両で行う業務として認証することを特徴とする請求項１記載のタクシーメータ。
【請求項３】
前記車両の各種状態の発生回数を示す累計指数を、前記記憶手段に料金制のデータが記憶されている業務中の前記認証手段により認証された業務の累計指数としてカウントする、業務別累計指数カウント手段をさらに備えており、前記認証された業務の料金制による料金を、対応する前記業務別累計指数カウント手段による前記認証された業務の前記累計指数のカウント値を用いて計算することを特徴とする請求項１又は２記載のタクシーメータ。
【請求項４】
前記業務別累計指数カウント手段による前記業務別の累計指数のデータまたはその加工データを出力する業務別累計指数データ出力手段をさらに備えることを特徴とする請求項３記載のタクシーメータ。
【発明の詳細な説明】
【技術分野】
【０００１】
本発明は、タクシー運賃の計算及び表示を行うタクシーメータに関する。
【背景技術】
【０００２】
近年、タクシー事業者が、介護タクシー業務（介護保険介護タクシー業務を含む）や運転代行業務等の、一般のタクシー業務以外の業務を行うケースが増えている。このような一般のタクシー業務以外の業務では、タクシー業務の認可料金制とは異なる料金制が適用される。このため、タクシー車両をタクシー業務以外の業務に使用する場合は、使用する業務の料金制で料金を計算し利用者に提示する必要がある。
【０００３】
タクシー車両に搭載されるタクシーメータでは、認可されたタクシー業務の料金制のデータを記憶したＲＯＭ（リードオンリーメモリ）を実装し、このデータを用いて運賃の演算を行っている。このＲＯＭの実装部分は、データの改ざん防止を図るために、行政機関によるメータ検査後に封印される。
【０００４】
このため、例えば介護タクシー業務の料金について、タクシーメータに接続した外付け装置が計算に必要な乗車時間等のデータをタクシーメータから受け取って、タクシーメータで計算できない介護タクシー業務の料金を独自に計算し表示することが提案されていた（例えば、特許文献１）。
【先行技術文献】
【特許文献】
【０００５】
【特許文献１】特開２０１２−３６０９号公報
【発明の概要】
【発明が解決しようとする課題】
【０００６】
上述した従来の提案は、乗車時間に応じた時間制料金とサービス毎の固定料金とを合計した介護タクシー料金を計算するものであるため、タクシーメータから出力される乗車時間等のデータに基づいて独自に料金を計算することができる。
【０００７】
ところが、タクシー業務と同じく走行距離に応じた距離制料金を含む料金制を採用する業務の場合は、タクシーメータが出力できるデータだけでは料金を計算することができない。そのため、結局タクシーメータと同様に、その業務の料金制のデータを記憶したＲＯＭを実装した専用の料金メータを別途タクシー車両に実装する必要が生じる。
【０００８】
本発明は前記事情に鑑みなされたもので、本発明の目的は、タクシー車両をタクシー業務以外の業務に使用する際に、その業務の料金制が走行距離に応じた距離制料金を含んでいる場合であっても、専用の別メータを用いずにタクシー業務以外の業務の料金制による料金の計算及び表示を行うことができるタクシーメータを提供することにある。
【課題を解決するための手段】
【０００９】
上記目的を達成するため、請求項１に記載した本発明のタクシーメータは、
車両の走行距離に応じた距離制料金を含むタクシー業務の料金制により計算した料金を表示するタクシーメータにおいて、
前記タクシー業務とは異なる他の業務の前記距離制料金を含む料金制のデータを、前記タクシー業務の料金制のデータと区別して記憶する記憶手段と、
前記タクシー業務及び前記他の業務のうち１つの業務を前記車両で行う業務として認証する認証手段とを備えており、
前記認証手段により認証された業務の前記記憶手段にデータが記憶された料金制により計算した料金を表示する、
ことを特徴とする。
【００１０】
請求項１に記載した本発明のタクシーメータによれば、認証手段がタクシー車両で行う業務として認証した業務がタクシー業務以外の業務に変わっても、記憶手段にデータが記憶されたその業務の料金制により料金が計算されて表示される。したがって、タクシー業務以外の業務にタクシー車両が使用されても、タクシーメータとは別の専用のメータを用いずに、タクシー業務以外の業務における料金の計算及び表示をタクシーメータで行うことができる。
【００１１】
また、請求項２に記載した本発明のタクシーメータは、請求項１に記載した本発明のタクシーメータにおいて、前記認証手段が、外部から入力された業務を指定する業務指定情報中の権限情報に基づいて、前記車両で行う業務の指定権限の有無を判定する権限判定手段をさらに備えており、該権限判定手段が指定権限有りと判定した前記権限情報を含む前記業務指定情報において指定された業務を、前記車両で行う業務として認証することを特徴とする。
【００１２】
なお、請求項２に記載した本発明のタクシーメータにおいて、権限情報は、例えば、車両を運用する事業者が車両の受信機に対して無線で業務指定情報を送信する場合の送信元を識別する情報とすることができる。また、車両の乗務員がタクシーメータに直接業務指定情報を入力する場合に入力要求されるパスワードとすることもできる。
【００１３】
そして、請求項２に記載した本発明のタクシーメータによれば、請求項１に記載した本発明のタクシーメータにおいて、権限情報により権限を有することが確認できた場合に限って、認証手段が車両で行う業務を認証することになる。そのため、認証手続き抜きで業務がむやみに変更されて、実際の料金制とは異なる他の業務の料金制で料金が計算及び表示されてしまうのを、抑制することができる。
【００１４】
さらに、請求項３に記載した本発明のタクシーメータは、請求項１又は２に記載した本発明のタクシーメータにおいて、前記車両の各種状態を示す累計指数を、前記記憶手段に料金制のデータが記憶されている業務中の前記認証手段により認証された業務の累計指数としてカウントする、業務別累計指数カウント手段をさらに備えており、前記認証された業務の料金制による料金を、対応する前記業務別累計指数カウント手段による前記認証された業務の前記累計指数のカウント値を用いて計算することを特徴とする。
【００１５】
そして、請求項３に記載した本発明のタクシーメータによれば、請求項１又は２に記載した本発明のタクシーメータにおいて、タクシー業務中にカウントされて料金の計算等に供される、車両の各種状態を示す累計指数が、タクシー業務以外の業務を車両で行った場合にも、その業務に関する累計指数として個別にカウントされる。このため、タクシー業務以外の業務についても、その業務中に発生した車両の各種状態に関する累計指数を、料金の計算等に供することができる。
【００１６】
また、請求項４に記載した本発明のタクシーメータは、請求項３に記載した本発明のタクシーメータにおいて、前記業務別累計指数カウント手段による前記業務別の累計指数のデータまたはその加工データを出力する業務別累計指数データ出力手段をさらに備えることを特徴とする。
【００１７】
請求項４に記載した本発明のタクシーメータによれば、請求項３に記載した本発明のタクシーメータにおいて、タクシー業務中にカウントされた累計指数は、乗務員や車両の業務管理に供するために、可搬型記録媒体やディスプレイに出力される。これと同じように、タクシー業務以外の業務を車両で行った場合にも、その業務中にカウントされた累計指数を業務別に可搬型記録媒体やディスプレイに出力して、乗務員や車両の業務管理に供することができる。
【発明の効果】
【００１８】
本発明によれば、タクシー車両をタクシー業務以外の業務に使用する際に、その業務の料金制が走行距離に応じた距離制料金を含んでいる場合であっても、専用の別メータを用いずにタクシー業務以外の業務の料金制による料金の計算及び表示を行うことができる。
【図面の簡単な説明】
【００１９】
【図１】本発明の一実施形態に係るタクシーメータを用いたタクシーメータシステムの概略構成を示すブロック図である。
【図２】図１に示すタクシーメータの演算部がＲＯＭに格納されたプログラムにしたがって行う、タクシー車両において行う業務の切り替えに関する処理の概要を示すフローチャートである。
【図３】図１に示すタクシーメータの演算部がＲＯＭに格納されたプログラムにしたがって行う、料金計算と表示に関する処理の概要を示すフローチャートである。
【図４】図１に示すタクシーメータの演算部がＲＯＭに格納されたプログラムにしたがって行う、累計指数の出力に関する処理の概要を示すフローチャートである。
【発明を実施するための形態】
【００２０】
以下、本発明の実施形態を、図面を参照しながら説明する。
【００２１】
図１は本発明の一実施形態に係るタクシーメータを用いたタクシーメータシステムの概略構成を示すブロック図である。図１に示すタクシーメータシステムは、タクシー車両１に搭載されたタクシーメータ１０と、タクシーメータ１０に接続されたプリンタ２０、ハンディーターミナル３０、及び、通信モジュール４０とを有している。
【００２２】
タクシーメータ１０は、タクシー車両１の走行距離に応じた距離制料金を含む料金（運賃）を計算し表示するものである。距離制料金は、基本距離まで一律の基本料金と、基本距離を超えると走行距離等に応じた回数加算される後続料金とを合計した料金である。
【００２３】
上述した料金を計算し表示するために、タクシーメータ１０は、料金等が表示される表示部１１と、タリフ状態やタクシー車両１で行う業務の種類、認証用のパスワード等の入力を行う操作部１２と、作業領域や一時格納領域が設けられる不揮発性のＲＡＭ１３と、プログラム等が格納されるＲＯＭ１４と、タクシー車両１の乗務員に割り当てられたメモリカード５０に対するデータの書き込み及び読み出しを行うメモリカードＩ／Ｏ部１５と、これらの動作を制御する演算部（ＣＰＵ）１６とを有している。プリンタ２０、ハンディーターミナル３０、及び、通信モジュール４０は、タクシーメータ１０のインタフェース（Ｉ／Ｆ）１７〜１９に接続される。
【００２４】
ＲＡＭ１３には、１回の営業毎の料金や営業キロ、営業時間等の営業データを生成し格納する営業データ格納部が確保される。営業データ格納部の一部は、演算部１６が料金制のデータに基づいて料金を計算する際の作業領域として使用される。また、営業データ格納部の一部は、演算部１６が車両の各種状態を示す累計指数（例えば、営業回数、後続回数、営業キロ、走行キロ、迎車回数／空転キロ、走行時間、営業走行時間、営業時間等）をカウントするための作業領域として使用される。この累計指数は、上述した営業データの生成にも用いられる。
【００２５】
さらに、ＲＡＭ１３の一部は、タクシー車両１で行う業務を示すデータを格納するための領域として使用される。本実施形態では、一般のタクシー業務と介護タクシー業務との２種類の業務を、タクシー車両１で行う業務とすることができるものとする。また、ＲＡＭ１３の一部は、タクシー車両１の業務の切り替え権限の認証に用いる識別情報やパスワードを格納するための領域として使用される。
【００２６】
ＲＯＭ１４（請求項中の記憶手段に相当）には、業務毎の料金制のデータを格納する設定データ格納部が確保される。データ設定データ格納部には、タクシー業務の料金制と介護タクシー業務の料金制とが区別して記憶されている。なお、設定データ格納部は、各料金制毎に個別の記憶媒体で構成してもよく、単一の記憶媒体を複数の領域に分けて各料金制のデータを記憶させる構成としてもよい。また、行政機関の認可が必要な料金制を記憶する場合は、改ざん防止のために封印することが望ましい。
【００２７】
演算部１６は、操作部１２から入力されるタリフ状態の変化等にしたがって、料金の計算及び表示部１１における表示を行う。なお、演算部１６は、ＲＡＭ１３に格納された、タクシー車両１で行う業務の料金制のデータ（ＲＯＭ１４に格納）を用いて、料金の計算を行う。
【００２８】
また、演算部１６は、料金の計算結果や、操作部１２から入力されるタリフ状態、不図示の走行センサからの走行速度（走行距離）に応じた走行パルス等を参照して、各累計指数をカウントする。なお、演算部１６は、ＲＡＭ１３に格納された、タクシー車両１で行う業務に関連付けて、各累計指数をカウントする。例えば、タクシー車両１で行う業務としてタクシー業務がＲＡＭ１３に格納されている間は、各累計指数をタクシー業務における累計指数としてカウントする。したがって、ＲＡＭ１３に格納された業務が変わると、演算部１６は、変わった後の業務におけるものとして各累計指数をカウントする。
【００２９】
プリンタ２０は、タクシーメータ１０の操作部１２の操作により支払タリフから空車タリフにタリフ状態が変化した際に、インタフェース１７を介して出力される、ＲＡＭ１３に格納された１回の営業の営業データに基づいて、領収証をプリントアウトする。また、プリンタ２０は、タクシーメータ１０がインタフェース１７を介して出力する各種のデータに基づいて、各種のレポート出力（プリントアウト）も行うことができる。
【００３０】
ハンディーターミナル３０は、クレジットカード決済用の磁気カードリーダとテンキー、ファンクションキー等を備えており、タクシーメータ１０からの１回の営業データに対して、立替入力（加算金額、項目）や決済方法の入力等を行うことができる。通信モジュール４０は、タクシー車両１から離れた場所との間でデータの送受信を行うモジュールである。本実施形態では、タクシー車両１を運用するタクシー事業者の営業所（図示せず）との間でデータの送受信を行うものとする。
【００３１】
次に、上述した構成のタクシーメータシステムにおいて、タクシーメータ１０の演算部１６がＲＯＭ１４に格納されたプログラムにしたがって行う、タクシー車両１において行う業務の切り替えに関する処理の概要について、図２のフローチャートを参照して説明する。図２のフローチャートに示す処理は、一定周期毎に繰り返し実行される。
【００３２】
演算部１６は、まず、通信モジュール４０が、タクシー事業者の不図示の営業所から業務指定情報信号を受信したか否かを確認する（ステップＳ１）。この業務指定情報信号は、タクシー車両１で行う業務を指定する業務指定情報と、発信元であるタクシー事業者（の営業所）を識別する発信元識別情報とを含んでいる。
【００３３】
業務指定情報信号を受信していない場合は（ステップＳ１でＮＯ）、後述するステップＳ５に移行し、受信した場合は（ステップＳ１でＹＥＳ）、演算部１６は、発信元識別情報が、タクシー車両１の業務の切り替え権限を有するタクシー車両１の営業所を示す内容であるか否かを、ＲＡＭ１３の格納情報に基づいて確認する（ステップＳ３）。タクシー車両１の営業所を示す内容でない場合は（ステップＳ３でＮＯ）、一連の処理を終了し、営業所を示す内容である場合は（ステップＳ３でＹＥＳ）、後述するステップＳ９に移行する。
【００３４】
また、ステップＳ１で通信モジュール４０が業務指定情報信号を受信していない場合（ＮＯ）に進むステップＳ５では、演算部１６は、操作部１２やハンディーターミナル３０から業務指定情報信号が入力されたか否か確認する。この業務指定情報信号は、タクシー車両１の乗務員が操作部１２又はハンディーターミナル３０を操作して入力した、タクシー車両１で行う業務を指定する業務指定情報と認証用のパスワードとを含んでいる。
【００３５】
業務指定情報信号が入力されていない場合は（ステップＳ５でＮＯ）、一連の処理を終了し、入力された場合は（ステップＳ５でＹＥＳ）、演算部１６は、入力されたパスワードを、ＲＡＭ１３に格納されている、タクシー車両１の業務の切り替え権限を有する乗務員に対応するパスワードと照合する（ステップＳ７）。照合するパスワードは、予めＲＡＭ１３に登録、格納しておいてもよく、メモリカードＩ／Ｏ部１５にメモリカード５０が装填される都度、そのメモリカードから読み込んでＲＡＭ１３に格納してもよい。
【００３６】
照合の結果、操作部１２やハンディーターミナル３０から入力されたパスワードが照合対象のパスワードと合致しない場合は（ステップＳ７でＮＯ）、一連の処理を終了する。一方、パスワードが合致した場合は（ステップＳ７でＹＥＳ）、ステップＳ９に移行する。
【００３７】
ステップＳ９では、演算部１６は、ＲＡＭ１３に格納されている、タクシー車両１で行う業務を示すデータを、業務指定情報で指定された業務のデータに書き換え更新し、その後、一連の処理を終了する。
【００３８】
以上の説明からも明らかなように、本実施形態では、タクシー事業者の営業所から通信モジュール４０を介して入力される業務指定情報信号や、操作部１２あるいはハンディーターミナル３０から入力される業務指定情報信号が、請求項中の外部から入力された業務を指定する業務指定情報に相当している。
【００３９】
また、本実施形態では、上述した業務指定情報信号中の発信元識別情報やパスワードが、請求項中の権限情報に相当している。さらに、本実施形態では、図２のフローチャートにおけるステップＳ３やステップＳ７の処理が、請求項中の認証手段及び権限判定手段に対応する処理となっている。
【００４０】
続いて、上述した構成のタクシーメータシステムにおいて、タクシーメータ１０の演算部１６がＲＯＭ１４に格納されたプログラムにしたがって行う、料金計算と表示に関する処理の概要について、図３のフローチャートを参照して説明する。図３のフローチャートに示す処理は、タクシーメータ１０の操作部１２により実車タリフの入力操作が行われると開始される。
【００４１】
演算部１６は、まず、操作部１２により実車タリフの入力（ボタン押下）操作が行われたか否かを確認する（ステップＳ１１）。入力操作が行われていない場合は（ステップＳ１１でＮＯ）、一連の処理を終了する。一方、入力操作が行われた場合は（ステップＳ１１でＹＥＳ）、ＲＡＭ１３に格納されているタクシー車両１で行う業務のデータを参照し、タクシー車両１で現在行っている業務のＲＯＭ１４に格納された料金制にしたがって、料金（運賃等）の計算や表示部１１での表示を行う（ステップＳ１３）。
【００４２】
その後、操作部１２により空車タリフの入力（ボタン押下）操作が行われたか否かを確認する（ステップＳ１５）。入力操作が行われていない場合は（ステップＳ１５でＮＯ）、ステップＳ１３にリターンする。一方、入力操作が行われた場合は（ステップＳ１５でＹＥＳ）、実車タリフの入力操作から空車タリフの入力までの間にＲＡＭ１３でカウントされた各項目の累計指数を、タクシー車両１で現在行っている業務に関する累計指数として、ＲＡＭ１３の対応する各項目のカウント値に加算する（ステップＳ１７）。そして、一連の処理を終了する。
【００４３】
なお、ＲＡＭ１３のデータが示すタクシー車両１で行う業務が介護タクシー業務である場合に、ステップＳ１７の後に、タクシー業務を示すデータにＲＡＭ１３のデータを書き換え更新してもよい。そのように構成した場合は、次に実車タリフの入力操作が行われるまでに、タクシー車両１で行う業務を介護タクシー業務とする内容の業務指定情報信号が入力されない限り、タクシー車両１の料金はタクシー業務の料金制で計算、表示されることになる。
【００４４】
また、以上の説明からも明らかなように、本実施形態では、図３のフローチャートにおけるステップＳ１７の処理が、請求項中の業務別累計指数カウント手段に対応する処理となっている。
【００４５】
次に、上述した構成のタクシーメータシステムにおいて、タクシーメータ１０の演算部１６がＲＯＭ１４に格納されたプログラムにしたがって行う、累計指数の出力に関する処理の概要について、図４のフローチャートを参照して説明する。図４のフローチャートに示す処理は、一定周期毎に繰り返し実行される。
【００４６】
演算部１６は、まず、タクシー車両１の運行を終了する操作に応じた運行終了情報信号が、操作部１２やハンディーターミナル３０から入力されたか否かを確認する（ステップＳ２１）。入力された場合は（ステップＳ２１でＹＥＳ）、後述するステップＳ２７に移行する。一方、入力されていない場合は（ステップＳ２１でＮＯ）、操作部１２の累計指数表示ボタンの操作が行われたか否かを確認する（ステップＳ２３）。操作が行われていない場合は（ステップＳ２３でＮＯ）、一連の処理を終了する。
【００４７】
また、操作部１２の累計指数表示ボタンの操作が行われた場合は（ステップＳ２３でＹＥＳ）、タクシー車両１で現在行っている業務に関する累計指数としてＲＡＭ１３でカウントしているカウント値を、表示部１１に所定時間表示させて、表示部１１の表示を元に戻した後（ステップＳ２５）、一連の処理を終了する。
【００４８】
さらに、ステップＳ２１において運行終了情報信号が、操作部１２やハンディーターミナル３０から入力された場合（ＹＥＳ）に進むステップＳ２７では、ＲＡＭ１３に区別して格納されているタクシー業務と介護タクシー業務のそれぞれに関する累計指数のカウント値を、カードＩ／Ｏ部１５によりメモリカード５０に書き込む。そして、一連の処理を終了する。
【００４９】
なお、累計指数は、ＲＡＭ１３でカウントしたままの内容で表示部１１に表示させたりメモリカード５０に書き込んでもよく、加工して表示部１１に表示させたりメモリカード５０に書き込んでもよい。
【００５０】
また、以上の説明からも明らかなように、本実施形態では、図４のフローチャートにおけるステップＳ２５及びステップＳ２７の処理が、請求項中の業務別累計指数出力手段に対応する処理となっている。
【００５１】
以上に説明した構成による本実施形態のタクシーメータ１０によれば、タクシー車両１でタクシー業務を行う場合はタクシー業務の料金制で料金を計算表示し、介護タクシー業務を行う場合は介護タクシー業務の料金制で料金を計算表示する。このため、タクシー車両１を介護タクシー業務に使用しても、介護タクシー業務専用のタクシーメータを用いずに、タクシー業務用のタクシーメータ１０によって、介護タクシー業務の料金制で料金の計算及び表示を行うことができる。
【００５２】
また、本実施形態のタクシーメータ１０によれば、営業所からの業務指定情報信号中の発信元識別情報や、操作部１２あるいはハンディーターミナル３０からの業務指定情報信号中のパスワードの照合によって、業務指定情報が示す業務（タクシー業務又は介護タクシー業務）への切り替えを認証するようにした。この構成は省略してもよい。しかし、省略せずに設ければ、タクシーメータ１０で行う業務が認証手続き抜きでむやみに変更されて、実際の料金制とは異なる他の業務の料金制で料金が計算及び表示されてしまうのを、抑制することができる。
【００５３】
さらに、本実施形態のタクシーメータ１０によれば、タクシー車両１の各種状態を示す累計指数を、タクシー車両１で行っている業務毎に分けてカウントするようにした。このため、介護タクシー業務をタクシー車両１で行った場合にも、介護タクシー業務に関する累計指数として個別にカウントされる。この構成は省略してもよい。しかし、省略せずに設ければ、タクシー業務ではない介護タクシー業務についても、その業務中に発生したタクシー車両１の各種状態に関する累計指数をタクシーメータ１０で個別にカウントして、介護タクシー業務の料金制による料金の計算等に供することができる。
【００５４】
また、本実施形態のタクシーメータ１０によれば、タクシー車両１の運行中に、タクシーメータ１０で業務別にカウントしている累計指数をそのままの内容又は加工した内容で表示部１１に表示させたり、タクシー車両１の運行終了時にメモリカード５０に書き込むようにした。この構成は省略してもよい。しかし、省略せずに設ければ、タクシー業務ではない介護タクシー業務についても、その業務中に発生したタクシー車両１の各種状態に関する累計指数を表示部１１やメモリカード５０に出力して、タクシー車両１やその乗務員の業務管理に供することができる。
【００５５】
なお、本実施形態では、タクシー車両１で行うタクシー業務以外の業務が介護タクシー業務であり、ＲＡＭ１３に格納する料金制がタクシー業務の料金制と介護タクシー業務の料金制であるものとした。しかし、タクシー業務以外の業務は介護タクシー業務だけに限らず、例えば、介護保険介護タクシー業務や代行運転業務等であってもよい。
【００５６】
そして、介護保険介護タクシー業務や代行運転業務等の業務をタクシー車両１で行う場合は、それに合わせて、ＲＡＭ１３に介護保険介護タクシー業務や代行運転業務の料金制のデータを格納し、それらの料金制による料金（運賃）を、タクシーメータ１０において計算、表示することになる。また、ＲＡＭ１３において、介護保険介護タクシー業務や代行運転業務等に関する累計指数をそれぞれ区別してカウントし、必要に応じて表示部１１やメモリカード５０に出力することになる。
【産業上の利用可能性】
【００５７】
本発明は、タクシー運賃の計算及び表示を行うタクシーメータに用いて好適である。
【符号の説明】
【００５８】
１  タクシー車両
１０  タクシーメータ
１１  表示部
１２  操作部
１３  ＲＡＭ
１４  ＲＯＭ
１５  メモリカードＩ／Ｏ部
１６  演算部
１７〜１９  インタフェース
２０  プリンタ
３０  ハンディーターミナル
４０  通信モジュール
５０  メモリカード
【図１】
2014021514.tif 000003
【図２】
2014021514.tif 000004
【図３】
2014021514.tif 000005
【図４】
2014021514.tif 000006